(57)【要約】【課題】  無目部分からの洗浄水の落下、飛散を有効に防止し得ると共に、最少限の水量で効率良く洗浄を行い得るガラス面給水システムを提供する。【解決手段】  無目（２）の前面と所定の間隙（２１）を介して取り付けられ、上方のガラス面（１Ａ）から流下してくる水を下方へ通過させる導水路（２２）を形成すると共に、当該導水路を通過した水を下方のガラス面上へ導く導水板（３ｃ）を有する水滴飛散防止プレート（３）を、各無目（２）に対して設けたことを特徴とする。上記水滴飛散防止プレート（３）を取り付けた複数段の無目の間に、無目（２）の上縁に沿って、上方のガラス面（１Ｃ）から流下してくる水を受け、これを方立（５）内へ導く溝（４１）が形成された集排水板（４）が取り付けられると共に、無目の下縁に沿って、下方のガラス面（１Ｄ）上に散水する給水管（２３）が取り付けられた無目（２）を配置することが望ましい。【選択図】  図２
2006006430.tif 000002
【特許請求の範囲】
【請求項１】
高層建築物の外壁面に沿って移動可能な台車機構に設けたワイパー装置により当該建築物の外壁ガラス又は窓ガラスの表面を自動洗浄する装置のためのガラス面給水システムにおいて；
無目（２）の前面を覆うように、無目の外面と所定の間隙（２１）を介して取り付けられ、無目外面との間に、上方のガラス面（１Ａ）から流下してくる水を下方へ通過させる導水路（２２）を形成すると共に、当該導水路を通過した水を下方のガラス面上へ導く導水板（３ｃ）を有する水滴飛散防止プレート（３）を、各無目（２）に対して設けたことを特徴とする上記のガラス自動洗浄装置のガラス面給水システム。
【請求項２】
上記水滴飛散防止プレート（３）を取り付けた複数段の無目の間に；
無目（２）の上縁に沿って、上方のガラス面（１Ｃ）から流下してくる水を受け、これを方立（５）内へ導く溝（４１）が形成された集排水板（４）が取り付けられると共に、無目の下縁に沿って、下方のガラス面（１Ｄ）上に散水する給水管（２３）が取り付けられた無目（２）を配置したことを特徴とする請求項１に記載のガラス自動洗浄装置のガラス面給水システム。
【発明の詳細な説明】
【技術分野】
【０００１】
本発明は、高層建築物の外壁ガラス又は窓ガラスの自動洗浄装置のためのガラス面給水システムに関するものである。
より具体的には、外壁ガラス又は窓ガラス（以下、単に「窓ガラス」という。）の自動洗浄作業中に、隣接する上下の窓ガラス間の境目に設けた横向きの桟［この横向きの桟を一般に「無目（むめ）」と称し、縦向きの桟を一般に「方立（ほうだて）」と称する。］の部分から洗浄水が落下、飛散するのを防止し得るように構成したガラス面給水システムに関するものである。
【背景技術】
【０００２】
窓ガラスの外面を自動的に洗浄する装置は、これまでにも多く提案されており、それらの例として例えば下記特許文献１〜３に記載のものを挙げることができる。
【０００３】
【特許文献１】特表２００３−５１６７９２号公報
【特許文献２】特願２００４−０８２４２５
【特許文献３】特願２００４−１３６９５１
【０００４】
これらの装置においては、一般的に、高層建築物の外壁面に沿って移動可能な台車機構に設けたワイパー装置により当該建築物の窓ガラスの表面を自動洗浄するようになっており、洗浄作業中には、窓ガラスの表面に給水パイプを通じて水等の洗浄水が掛け流されるようになっている。
これらの水はガラス面を伝って上から下へ流下するが、無目の部分でガラス面から離れて飛散し、建物の下を通過する通行人等に降りかかって被害を及ぼすという問題があった。
【０００５】
これを図７を参照しつつ説明すれば、無目２の上側の窓ガラス１Ａの表面を伝って流下する水もしくは水滴１０は、無目の部分では無目の前面板２ａの表面上を伝って流れ、その後、図示する如く、無目２の下縁部分で無目から離脱し、下側の窓ガラス１Ｂの表面に移行することなく、落下、飛散することが多かった。それらの水滴には、窓ガラス面に付着していた汚れが多量に含まれているため、これが付着すると衣服等が汚れる等の被害を生じることも多かった。
また、そのように無目の部分で多くの水が落下、飛散して失われると、それより下段の窓ガラスを洗浄するために各段ごとに新たな水を補給しなければならず、全体として水の無駄使いが多かった。
【発明の開示】
【発明が解決しようとする課題】
【０００６】
本発明は、上記の問題点を解決するためなされたものであり、その目的とするところは、無目部分からの洗浄水の落下、飛散を防止し得ると共に、自動洗浄装置により効率良く洗浄が行われるように構成したガラス面給水システムを提供することにある。
【課題を解決するための手段】
【０００７】
上記の目的は、
高層建築物の外壁面に沿って移動可能な台車機構に設けたワイパー装置により当該建築物の外壁ガラス又は窓ガラスの表面を自動洗浄する装置のためのガラス面給水システムにおいて；
無目の前面を覆うように、無目の外面と所定の間隙を介して取り付けられ、無目外面との間に、上方のガラス面から流下してくる水を下方へ通過させる導水路を形成すると共に、当該導水路を通過した水を下方のガラス面上へ導く導水板を有する水滴飛散防止プレートを、各無目に対して設けたことを特徴とする上記のガラス自動洗浄装置のガラス面給水システムによって達成し得る。
【０００８】
その場合において、上記水滴飛散防止プレートを取り付けた複数段の無目の間に；
無目の上縁に沿って、上方のガラス面から流下してくる水を受け、これを方立内へ導く溝が形成された集排水板が取り付けられると共に、無目の下縁に沿って、下方のガラス面上に散水する給水管が取り付けられた無目を配置することが推奨される。
【発明の効果】
【０００９】
上記の如き構成であると、無目の上側のガラス面から無目の前面板の表面上を伝って流れた洗浄水は、無目表面と水滴飛散防止プレートとの間の導水路を通じて流下し、無目の下縁から水滴飛散防止プレートの導水板へ移行し、更に下側のガラス面上へ移行して当該ガラス面上を流下し、以下同様にして、下側の無目及びガラス面に沿って順次流下して行くので、無目部分からの洗浄水の落下、飛散を有効に防止し得るガラス面給水システムを提供できるものである。
また、上記水滴飛散防止プレートを取り付けた複数段の無目の間に、前記集排水板と給水管とが取り付けられた無目を配置することにより、汚れた水は方立内に排出され、ガラス面には新たな洗浄水が補給されるので、ガラス面の洗浄効率が向上するものである。
【発明を実施するための最良の形態】
【００１０】
以下、図面に示す実施例を参照しつつ、本発明を実施するための最良の形態について説明する。
【実施例】
【００１１】
図１は、本発明に係るガラス面給水システムの一実施例を、その無目と水滴飛散防止プレートとの係合爪の位置で縦方向に切断した断面図、図２は、図１に示した実施例を、その無目と水滴飛散防止プレートとの間に形成される導水路の位置で縦方向に切断した断面図である。
両図中、１Ａは無目の上側のガラス板、１Ｂは下側のガラス板、１０は洗浄水、２は無目、２ａは無目の前面板、２ｂは係止爪、３は水滴飛散防止プレート、３ａはその前面板、３ｂは係止爪、３ｃは導水板である。
図示する如く、本発明のガラス面給水システムにおいては、水滴飛散防止プレート３が、その係止爪３ｂを無目２の全面板２に形成した係止爪２ｂと係合させることにより、無目２の前面を覆うように取り付けられ、無目２の前面と水滴飛散防止プレート３の背面との間には所定の間隙２１が形成されるようになっている。
【００１２】
係止爪２ｂ及び３ｂは、無目２及び水滴飛散防止プレート３の長手方向に断続的に設けられ、従って、係止爪２ｂ及び３ｂが設けられていない部分においては、図２に示す如く、前記間隙２１が上から下まで貫通し、上方のガラス板１Ａの表面から流下してくる水１０を下方へ通過させる導水路２２が形成されるようになっている。
この導水路２２を通過した水１０は、水滴飛散防止プレート３の下縁に沿って一体的に形成した導水板３ｃに受け止められ、導水板３ｃに沿って下側のガラス板１Ｂの表面へ向けて流れ、その後、ガラス板１Ｂの表面に沿って下方へ流下して行く。
そのため、図７を参照して前述した従来例の如く水１０が無目２の下縁部分から落下、飛散することがない。
【００１３】
各無目の前面にこのような水滴飛散防止プレート３を取り付けておくことにより、窓ガラスの表面に洗浄水を掛け流しながらガラス自動洗浄装置によって洗浄を行う場合にも、水滴が落下、飛散することがなく、通行人等への被害を未然に防止できる。
【００１４】
次に、図３及び図４について説明する。
高層建築物の各無目の前面に上記の如き水滴飛散防止プレート３を取り付けておくことにより、水滴が落下、飛散が防止されることは前記のとおりであるが、建物が高くなると、最上階の窓ガラスの表面に供給した洗浄水は、途中で次第に蒸発して下層階までは達しない。
また、複数階の窓ガラスの表面を流下した水には、それらの窓ガラスの表面に付着していた塵埃が高濃度で含まれることになり、そのような汚れた水で更に下層階の窓ガラスを洗浄し続けても、良好な洗浄効果は期待できない。
【００１５】
そこで、上記のように水滴飛散防止プレート３を取り付けた複数段の無目の間に、汚れた洗浄水を方立（ほうだて；縦向きの桟）の内部へ排出すると共に、新たな洗浄水を窓ガラスの表面に放出する機能を備えた無目（図４）を設けることが推奨される。
即ち、例えば３０階建てのビルの場合、上下方向に各階ごとに１枚づつのガラス板が取り付けられ、各ガラス板間に無目が取り付けられているとした場合、必要な無目の数は２９本となる。そこで、上から1 〜４番目の無目には前記水滴飛散防止プレート３を取り付け、５番目の無目には図４に示す無目を用い、次いで６〜９番目の無目には水滴飛散防止プレート３を取り付け、１０番目の無目には図４に示す無目を用い、以下同様に５番目ごとに図４に示す無目を用いるようにするものである。
【００１６】
図４に示す無目２は、その上縁に沿って、上方のガラス板１Ｃの表面から流下してくる汚れた水１０を受け、これを方立５（図３参照）内へ導く溝４１が形成された集排水板４が取り付けられている。そのため、上記例において、上の５枚のガラス板の表面の洗浄に用いられ、多量の汚れを含有する水１０は、上記集排水板４の溝４１に集められ、この溝を通じて図３に示す如く、方立５の内部へ排出されるものである。
また、図４に示す無目２には、その下縁に沿って給水管２３が取り付けられ、この給水管２３から放出される清澄な水１１が、下方のガラス板１Ｄの表面上に散水されるようになっている。
このように、図１及び図２に示すような水滴飛散防止プレート３を取り付けた複数段の無目２の間に、図４に示すような集排水板４と給水管２３とを備えた無目２を適宜配置することにより、複数枚のガラス面の洗浄により汚れた水は排出され、常に清澄な水で洗浄が行われるものであるから、洗浄効率が大幅に向上するものである。
【００１７】
図５は、窓ガラスの表面を方立の間際まで完全に洗浄できるようにするため、前記図１及び図２に示した本発明の実施例に対して、本出願人が先に特願２００４−１３６９５１により開示した窓ガラス外面洗浄装置において採用したリフティングブロック６を設けた実施例を示している。
即ち、特願２００４−１３６９５１により開示された窓ガラス外面洗浄装置は、窓ガラスの表面を方立の間際まで完全に洗浄できるようにするため、窓ガラスの表面を拭き清めるワイパーブレードを方立の側縁間際まで延ばして取り付けると共に、ワイパーブレードを保持するワイパーホルダをガイドするガイドローラを、方立上のガイドレールに沿って移動させるように構成したものであるが、その場合、ワイパーブレードがガラス表面に沿って上下方向に移動するときに、無目をスムースに乗り越えられるようにするために、ガイドローラの軌道上で無目に対応する位置に、無目の断面に適合する断面形状を有するリフティングブロックを設けたものであった。
本発明においても、ガイドローラ（図では省略）の軌道上に、水滴飛散防止プレート３の断面に適合する断面形状を有するリフティングブロック６を設けることによって、自動洗浄時にガイドローラが上下移動し、当該リフティングブロック６を乗り越える際に、ガイドローラが窓ガラスから開離する方向へ持ち上げられ、これに追従して、ワイパーホルダも窓ガラスから開離する方向へ変位し、これにより、ワイパーブレードの先端が水滴飛散防止プレート３の表面に接触しつつ水滴飛散防止プレート３を乗り越すことができるので、ワイパーブレードが上下移動するときに、無目及び水滴飛散防止プレート３が障害となることがなく、円滑な洗浄動作が確保されるものである。
【００１８】
同様に、図６は、前記図４に示した本発明の実施例に対して、特願２００４−１３６９５１により開示されたリフティングブロック７を設けた実施例を示している。
リフティングブロック７は、図４に示すような集排水板４と給水管２３とを備えた無目２の断面に適合する断面形状を有し、ワイパーホルダのガイドローラの軌道上に配置されている。
このようなリフティングブロック７をガイドローラの軌道上に設けることによって、自動洗浄時にガイドローラが上下移動し、当該リフティングブロック７を乗り越える際に、ガイドローラが窓ガラスから開離する方向へ持ち上げられ、これに追従して、ワイパーホルダも窓ガラスから開離する方向へ変位し、これにより、ワイパーブレードの先端が、集排水板４と給水管２３とを備えた無目２の表面に接触しつつ当該無目２を乗り越すことができるので、ワイパーブレードが上下移動するときに、無目２が障害となることがなく、円滑な洗浄動作が確保されるものである。
【００１９】
なお、本発明は上記の実施例に限定されるものではなく、その目的の範囲内において、上記の説明から当業者が容易に想到し得るすべての変更実施例を包摂するものである。
【産業上の利用可能性】
【００２０】
本発明は上記の如く構成されるから、本発明によるときは、無目部分からの洗浄水の落下、飛散を有効に防止し得ると共に、最少限の水量で効率良く洗浄を行い得るガラス面給水システムを提供し得るものである。
【図面の簡単な説明】
【００２１】
【図１】本発明に係るガラス面給水システムの一実施例を、その無目と水滴飛散防止プレートとの係合爪の位置で縦方向に切断した断面図である。
【図２】図１に示した実施例を、その無目と水滴飛散防止プレートとの間に形成される導水路の位置で縦方向に切断した断面図である。
【図３】集排水板及び給水管を取り付けた無目と方立との連結部分を、その機能と共に示す正面図である。
【図４】図３中のIV−IV線に沿った断面図である。
【図５】図１及び図２に示した実施例のものに、リフティングブロックを設けた実施例を示す断面図である。
【図６】図４に示した実施例のものに、リフティングブロックを設けた実施例を示す断面図である。
【図７】ガラス自動洗浄装置により洗浄する場合の従来の問題点を説明するための図である。
【符号の説明】
【００２２】
１Ａ，１Ｃ  無目の上側のガラス板
１Ｂ，１Ｄ  無目の下側のガラス板
１０，１１  洗浄水
２    無目
２ａ  無目の前面板
２ｂ  係止爪
２１  間隙
２２  導水路
２３  給水管
３    水滴飛散防止プレート
３ａ  前面板
３ｂ  係止爪
３ｃ  導水板
４    集排水板
４１  溝
５    方立
６，７  リフティングブロック
【図１】
2006006430.tif 000003
【図２】
2006006430.tif 000004
【図３】
2006006430.tif 000005
【図４】
2006006430.tif 000006
【図５】
2006006430.tif 000007
【図６】
2006006430.tif 000008
【図７】
2006006430.tif 000009